(57)【要約】  フェムトセルにおけるモバイルデバイスの位置を分類するためのシステムおよび方法が開示される。一態様では、システムおよび方法は、フェムトセルによって、モバイルデバイスから位置測定情報およびパフォーマンス測定報告を受信し、受信した位置測定情報に基づいて、モバイルデバイスの位置を屋内または屋外に分類し、モバイルデバイスの位置の分類およびパフォーマンス測定報告に基づいて、フェムトセルのカバレージエリア、送信電力、および/または無線周波数(RF)チャネル/帯域を調整するように構成される。
2015509692.tif 000002
【特許請求の範囲】
【請求項１】
ワイヤレス通信のための方法であって、
フェムトセルによって、モバイルデバイスから位置測定情報およびパフォーマンス測定報告を受信するステップと、
前記受信した位置測定情報に基づいて、前記モバイルデバイスの位置を屋内または屋外に分類するステップと、
前記モバイルデバイスの前記位置の分類および前記パフォーマンス測定報告に基づいて、少なくとも前記フェムトセルのカバレージエリアを調整するステップと
を含む方法。
【請求項２】
前記モバイルデバイスの前記位置の分類および前記パフォーマンス測定報告に基づいて、前記フェムトセルのための送信電力および無線周波数(RF)チャネルまたは帯域のうちの1つまたは複数を選択するステップをさらに含む、請求項1に記載の方法。
【請求項３】
前記位置測定情報が、前記モバイルデバイスの音響測定値を含む、請求項1に記載の方法。
【請求項４】
前記位置測定情報が、前記モバイルデバイスの光学測定値を含む、請求項1に記載の方法。
【請求項５】
前記位置測定情報が、前記モバイルデバイスのGPS測定値を含む、請求項1に記載の方法。
【請求項６】
前記位置測定情報が、前記モバイルデバイスの高度計測定値および気圧計測定値のうちの1つまたは複数を含む、請求項1に記載の方法。
【請求項７】
前記位置測定情報が、前記モバイルデバイスの加速度計測定値およびジャイロスコープ測定値のうちの1つまたは複数を含む、請求項1に記載の方法。
【請求項８】
前記位置測定情報が、前記モバイルデバイスのRFチャネル測定値を含む、請求項1に記載の方法。
【請求項９】
前記位置測定情報が、前記モバイルデバイスの位置履歴情報を含む、請求項1に記載の方法。
【請求項１０】
前記パフォーマンス測定報告が、受信信号強度インジケータ(RSSI)、セル再選択の回数、ハンドオーバの回数およびタイプ、呼ドロップの回数、平均アップリンクおよびダウンリンク干渉、ならびに前記モバイルデバイスによって使用されるワイヤレスサービスの統計値のうちの1つまたは複数を含む、請求項1に記載の方法。
【請求項１１】
ワイヤレス通信のための装置であって、
モバイルデバイスから位置測定情報およびパフォーマンス測定報告を受信するように構成された情報収集構成要素と、
前記受信した位置測定情報に基づいて、前記モバイルデバイスの位置を屋内または屋外に分類するように構成された位置分類構成要素と、
前記モバイルデバイスの前記位置の分類および前記パフォーマンス測定報告に基づいて、少なくともフェムトセルのカバレージエリアを調整するように構成された調整構成要素と
を備える装置。
【請求項１２】
前記調整構成要素が、前記モバイルデバイスの前記位置の分類および前記パフォーマンス測定報告に基づいて、前記フェムトセルのための送信電力および無線周波数(RF)チャネルまたは帯域のうちの1つまたは複数を選択するようにさらに構成される、請求項11に記載の装置。
【請求項１３】
前記位置測定情報が、前記モバイルデバイスの音響測定値、光学測定値、GPS測定値、高度計測定値、気圧計測定値、加速度計測定値、ジャイロスコープ測定値、RFチャネル測定値、および位置履歴情報のうちの1つまたは複数を含む、請求項11に記載の装置。
【請求項１４】
前記パフォーマンス測定報告が、受信信号強度インジケータ(RSSI)、セル再選択の回数、ハンドオーバの回数およびタイプ、呼ドロップの回数、平均アップリンクおよびダウンリンク干渉、ならびに前記モバイルデバイスによって使用されるワイヤレスサービスの統計値のうちの1つまたは複数を含む、請求項11に記載の装置。
【請求項１５】
ワイヤレス通信のためのフェムトセル装置であって、
モバイルデバイスから位置測定情報およびパフォーマンス測定報告を受信するための手段と、
前記受信した位置測定情報に基づいて、前記モバイルデバイスの位置を屋内または屋外に分類するための手段と、
前記モバイルデバイスの前記位置の分類および前記パフォーマンス測定報告に基づいて、少なくとも前記フェムトセルのカバレージエリアを調整するための手段と
を備える装置。
【請求項１６】
前記モバイルデバイスの前記位置の分類および前記パフォーマンス測定報告に基づいて、前記フェムトセルのための送信電力および無線周波数(RF)チャネルまたは帯域のうちの1つまたは複数を選択するための手段をさらに備える、請求項15に記載の装置。
【請求項１７】
前記位置測定情報が、前記モバイルデバイスの音響測定値、光学測定値、GPS測定値、高度計測定値、気圧計測定値、加速度計測定値、ジャイロスコープ測定値、RFチャネル測定値、および位置履歴情報のうちの1つまたは複数を含む、請求項15に記載の装置。
【請求項１８】
前記パフォーマンス測定報告が、受信信号強度インジケータ(RSSI)、セル再選択の回数、ハンドオーバの回数およびタイプ、呼ドロップの回数、平均アップリンクおよびダウンリンク干渉、ならびに前記モバイルデバイスによって使用されるワイヤレスサービスの統計値のうちの1つまたは複数を含む、請求項15に記載の装置。
【請求項１９】
ワイヤレス通信のためのコンピュータプログラムであって、
少なくとも1つのコンピュータに、モバイルデバイスから位置測定情報およびパフォーマンス測定報告を受信させるためのコードと、
少なくとも1つのコンピュータに、前記受信した位置測定情報に基づいて、前記モバイルデバイスの位置を屋内または屋外に分類させるためのコードと、
少なくとも1つのコンピュータに、前記モバイルデバイスの前記位置の分類および前記パフォーマンス測定報告に基づいて、少なくともフェムトセルのカバレージエリアを調整させるためのコードと
を備えるコンピュータプログラム。
【請求項２０】
少なくとも1つのコンピュータに、前記モバイルデバイスの前記位置の分類および前記パフォーマンス測定報告に基づいて、前記フェムトセルのための送信電力および無線周波数(RF)チャネルまたは帯域のうちの1つまたは複数を選択させるためのコードをさらに備える、請求項19に記載のコンピュータプログラム。
【請求項２１】
前記位置測定情報が、前記モバイルデバイスの音響測定値、光学測定値、GPS測定値、高度計測定値、気圧計測定値、加速度計測定値、ジャイロスコープ測定値、RFチャネル測定値、および位置履歴情報のうちの1つまたは複数を含む、請求項19に記載のコンピュータプログラム。
【請求項２２】
前記パフォーマンス測定報告が、受信信号強度インジケータ(RSSI)、セル再選択の回数、ハンドオーバの回数およびタイプ、呼ドロップの回数、平均アップリンクおよびダウンリンク干渉、ならびに前記モバイルデバイスによって使用されるワイヤレスサービスの統計値のうちの1つまたは複数を含む、請求項19に記載のコンピュータプログラム。
【請求項２３】
ワイヤレス通信のための方法であって、
モバイルデバイスによって、1つまたは複数の位置測定を実施するステップと、
前記1つまたは複数の位置測定に基づいて、前記モバイルデバイスの位置を屋内または屋外に分類するステップと、
前記モバイルデバイスによって、1つまたは複数のパフォーマンス測定値を収集するステップと、
位置分類情報と、1つまたは複数のパフォーマンス測定値を含むパフォーマンス測定報告とをフェムトセルに送るステップと
を含む方法。
【請求項２４】
前記位置測定が、音響測定、光学測定、GPS測定、高度計測定、気圧計測定、加速度計測定、ジャイロスコープ測定、およびRFチャネル測定のうちの1つまたは複数を含む、請求項23に記載の方法。
【請求項２５】
前記パフォーマンス測定値が、受信信号強度インジケータ(RSSI)、セル再選択の回数、ハンドオーバの回数およびタイプ、呼ドロップの回数、平均アップリンクおよびダウンリンク干渉、ならびに前記モバイルデバイスによって使用されるワイヤレスサービスの統計値のうちの1つまたは複数を含む、請求項23に記載の方法。
【請求項２６】
ワイヤレス通信のための装置であって、
モバイルデバイスの1つまたは複数の位置測定およびパフォーマンス測定を実施するように構成された測定構成要素と、
前記位置測定に基づいて、前記モバイルデバイスの位置を屋内または屋外に分類するように構成された位置分類構成要素と、
位置分類情報と、1つまたは複数のパフォーマンス測定値を含むパフォーマンス測定報告とをフェムトセルに送るように構成された情報送信構成要素と
を備える装置。
【請求項２７】
前記位置測定が、音響測定、光学測定、GPS測定、高度計測定、気圧計測定、加速度計測定、ジャイロスコープ測定、およびRFチャネル測定のうちの1つまたは複数を含む、請求項26に記載の装置。
【請求項２８】
前記パフォーマンス測定値が、受信信号強度インジケータ(RSSI)、セル再選択の回数、ハンドオーバの回数およびタイプ、呼ドロップの回数、平均アップリンクおよびダウンリンク干渉、ならびに前記モバイルデバイスによって使用されるワイヤレスサービスの統計値のうちの1つまたは複数を含む、請求項26に記載の装置。
【請求項２９】
ワイヤレス通信のための装置であって、
モバイルデバイスによって、1つまたは複数の位置測定を実施するための手段と、
前記1つまたは複数の位置測定に基づいて、前記モバイルデバイスの位置を屋内または屋外に分類するための手段と、
前記モバイルデバイスによって、1つまたは複数のパフォーマンス測定値を収集するための手段と、
位置分類情報と、1つまたは複数のパフォーマンス測定値を含むパフォーマンス測定報告とをフェムトセルに送るための手段と
を備える装置。
【請求項３０】
前記位置測定が、音響測定、光学測定、GPS測定、高度計測定、気圧計測定、加速度計測定、ジャイロスコープ測定、およびRFチャネル測定のうちの1つまたは複数を含む、請求項29に記載の装置。
【請求項３１】
前記パフォーマンス測定値が、受信信号強度インジケータ(RSSI)、セル再選択の回数、ハンドオーバの回数およびタイプ、呼ドロップの回数、平均アップリンクおよびダウンリンク干渉、ならびに前記モバイルデバイスによって使用されるワイヤレスサービスの統計値のうちの1つまたは複数を含む、請求項29に記載の装置。
【請求項３２】
ワイヤレス通信のためのコンピュータプログラムであって、
少なくとも1つのコンピュータに、モバイルデバイスによって、1つまたは複数の位置測定を実施させるためのコードと、
少なくとも1つのコンピュータに、前記1つまたは複数の位置測定に基づいて、前記モバイルデバイスの位置を屋内または屋外に分類させるためのコードと、
少なくとも1つのコンピュータに、前記モバイルデバイスによって、1つまたは複数のパフォーマンス測定値を収集させるためのコードと、
少なくとも1つのコンピュータに、位置分類情報と、1つまたは複数のパフォーマンス測定値を含むパフォーマンス測定報告とをフェムトセルに送らせるためのコードと
を備えるコンピュータプログラム。
【請求項３３】
前記位置測定が、音響測定、光学測定、GPS測定、高度計測定、気圧計測定、加速度計測定、ジャイロスコープ測定、およびRFチャネル測定のうちの1つまたは複数を含む、請求項32に記載のコンピュータプログラム。
【請求項３４】
前記パフォーマンス測定値が、受信信号強度インジケータ(RSSI)、セル再選択の回数、ハンドオーバの回数およびタイプ、呼ドロップの回数、平均アップリンクおよびダウンリンク干渉、ならびに前記モバイルデバイスによって使用されるワイヤレスサービスの統計値のうちの1つまたは複数を含む、請求項32に記載のコンピュータプログラム。
【発明の詳細な説明】
【技術分野】
【０００１】
米国特許法第119条に基づく優先権の主張
本特許出願は、本出願の譲受人に譲渡され、参照により本明細書に明確に組み込まれる、2012年3月9日に出願された「Apparatus and Method for Determining Location of Mobile Devices in a Femtocell」と題する仮出願第61/609,206号の優先権を主張する。
【０００２】
本開示は一般にワイヤレス通信の分野に関し、より詳細には、フェムトセルにおけるモバイルデバイスの屋内または屋外の位置を判定するためのシステムおよび方法に関する。
【背景技術】
【０００３】
ワイヤレス通信システムは、たとえば、音声、データなどの様々なタイプの通信コンテンツを提供するために広く展開されている。典型的なワイヤレス通信システムは、利用可能なシステムリソース(たとえば、帯域幅、送信電力など)を共有することによって、複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、直交周波数分割多元接続(OFDMA)システムなどが含まれ得る。加えて、これらのシステムは、第3世代パートナーシッププロジェクト(3GPP)、3GPPロングタームエボリューション(LTE)、ウルトラモバイルブロードバンド(UMB)、エボリューションデータオプティマイズド(EV-DO)などの仕様に準拠することができる。
【０００４】
一般に、ワイヤレス多元接続通信システムは、複数のモバイルデバイス向けの通信を同時にサポートすることができる。各モバイルデバイスは、(たとえば、マクロノードと一般に呼ばれ得る)1つまたは複数の基地局と通信することができる。従来の基地局を補足するために、(たとえば、フェムトノードセルまたはピコノードと一般に呼ばれ得る)追加の低電力基地局を展開して、より強固なワイヤレスカバレージをモバイルデバイスに提供することができる。たとえば、低電力基地局は、漸進的な容量の増大、より豊かなユーザエクスペリエンス、屋内または他の特定の地理的カバレージなどのために展開され得る。
【０００５】
フェムトノードは、ワイヤレスネットワークインフラストラクチャ全体を考慮することなく、ユーザによってユーザの自宅、オフィス、ビルおよび他の屋内環境に設置されることが多い。クローズドアクセスフェムトセル展開では、フェムトノードは通常、そのカバレージ屋内をターゲットとし、干渉を回避するためにフェムトノードが隣接するマクロセルおよびフェムトセルから最も小さい信号強度を測定する無線周波数(RF)チャネル/帯域を選ぶ。オープンアクセスフェムトセル展開では、フェムトノードは、隣接するフェムトセルおよびマクロセルと同じRFチャネル/帯域を選択して、より良い周波数再利用を実現することができるが、このことは高密度フェムトセル展開における干渉問題をもたらす可能性がある。したがって、フェムトノードの動作の改善が望まれる。
【発明の概要】
【課題を解決するための手段】
【０００６】
以下に、フェムトセルにおける、屋内または屋外などの、モバイルデバイスの位置を判定し、モバイルデバイスの位置に基づいて、フェムトセルのRFパラメータを調整するためのシステム、方法およびコンピュータプログラムの1つまたは複数の態様の簡略化された概要を提示する。この概要は、本発明のすべての企図された態様の包括的な概観ではなく、本発明の主要または重要な要素を識別するものでも、そのいずれかまたはすべての態様の範囲を定めるものでもない。その唯一の目的は、後で提示するより詳細な説明の導入として、1つまたは複数の態様のいくつかの概念を簡略化された形で提示することである。
【０００７】
より具体的には、オープンまたはクローズドフェムトセル展開におけるカバレージ、干渉およびモビリティ管理基準を満たすように、フェムトセルの送信電力、RFチャネルおよび/または帯域あるいは他のパラメータを選択するために、モバイルデバイスが屋内に位置するか、または屋外に位置するかを判定するためのシステム、方法およびコンピュータプログラムが本明細書で開示される。たとえば、モバイルデバイスが屋内にあるか、または屋外にあるかというモバイルデバイスの位置情報、およびモバイルデバイスのパフォーマンス測定報告を使用して、フェムトセルは、フェムトセルのパフォーマンスを改善するために、その送信電力、カバレージエリアおよびRFチャネル/帯域の選択を調整することができる。
【０００８】
一態様では、モバイルデバイスの位置を分類するための方法は、フェムトセルによって、モバイルデバイスから位置測定情報およびパフォーマンス測定報告を受信するステップを含む。方法は、受信した位置測定情報に基づいて、モバイルデバイスの位置を屋内または屋外に分類するステップをさらに含む。方法は、モバイルデバイスの位置の分類およびパフォーマンス測定報告に基づいて、フェムトセルのカバレージエリア、送信電力、および/または無線周波数(RF)チャネル/帯域を調整するステップをさらに含む。
【０００９】
別の態様では、モバイルデバイスの位置を分類するためのフェムトセル装置は、モバイルデバイスから位置測定情報およびパフォーマンス測定報告を受信するように構成された情報収集構成要素を含む。装置は、受信した位置測定情報に基づいて、モバイルデバイスの位置を屋内または屋外に分類するように構成された位置分類構成要素をさらに含む。装置は、モバイルデバイスの位置の分類およびパフォーマンス測定報告に基づいて、フェムトセルのカバレージエリア、送信電力、および/または無線周波数(RF)チャネル/帯域を調整するように構成された調整構成要素をさらに含む。
【００１０】
別の態様では、モバイルデバイスの位置を分類するためのフェムトセル装置は、モバイルデバイスから位置測定情報およびパフォーマンス測定報告を受信するための手段を含む。装置は、受信した位置測定情報に基づいて、モバイルデバイスの位置を屋内または屋外に分類するための手段をさらに含む。装置は、モバイルデバイスの位置の分類およびパフォーマンス測定報告に基づいて、フェムトセルのカバレージエリア、送信電力、および/または無線周波数(RF)チャネル/帯域を調整するための手段をさらに含む。
【００１１】
さらに別の態様では、モバイルデバイスの位置を分類するためのコンピュータプログラム製品は、フェムトセルにおける少なくとも1つのコンピュータに、モバイルデバイスから位置測定情報およびパフォーマンス測定報告を受信させるためのコードを備える非一時的コンピュータ可読記録媒体を含む。コンピュータプログラム製品は、少なくとも1つのコンピュータに、受信した位置測定情報に基づいて、モバイルデバイスの位置を屋内または屋外に分類させるためのコードをさらに含む。コンピュータプログラム製品は、少なくとも1つのコンピュータに、モバイルデバイスの位置の分類およびパフォーマンス測定報告に基づいて、フェムトセルのカバレージエリア、送信電力、および/または無線周波数(RF)チャネル/帯域を調整させるためのコードをさらに含む。
【００１２】
別の態様では、モバイルデバイスの位置を分類するための方法は、モバイルデバイスによって、1つまたは複数の位置測定を実施するステップを含む。方法は、1つまたは複数の位置測定に基づいて、モバイルデバイスの位置を屋内または屋外に分類するステップをさらに含む。方法は、モバイルデバイスによって、1つまたは複数のパフォーマンス測定値を収集するステップをさらに含む。方法は、位置分類情報と、1つまたは複数のパフォーマンス測定値を含むパフォーマンス測定報告とをフェムトセルに送るステップをさらに含む。
【００１３】
別の態様では、モバイルデバイスの位置を分類するための装置は、モバイルデバイスの1つまたは複数の位置測定およびパフォーマンス測定を実施するように構成された測定構成要素を含む。装置は、位置測定に基づいて、モバイルデバイスの位置を屋内または屋外に分類するように構成された位置分類構成要素をさらに含む。装置は、位置分類情報と、1つまたは複数のパフォーマンス測定値を含むパフォーマンス測定報告とをフェムトセルに送るように構成された情報送信構成要素をさらに含む。
【００１４】
別の態様では、モバイルデバイスの位置を分類するための装置は、モバイルデバイスによって、1つまたは複数の位置測定を実施するための手段を含む。装置は、1つまたは複数の位置測定に基づいて、モバイルデバイスの位置を屋内または屋外に分類するための手段をさらに含む。装置は、モバイルデバイスによって、1つまたは複数のパフォーマンス測定値を収集するための手段をさらに含む。装置は、位置分類情報と、1つまたは複数のパフォーマンス測定値を含むパフォーマンス測定報告とをフェムトセルに送るための手段をさらに含む。
【００１５】
さらに別の態様では、モバイルデバイスの位置を分類するためのコンピュータプログラム製品は、少なくとも1つのコンピュータに、モバイルデバイスによって、1つまたは複数の位置測定を実施させるためのコードを備えるコンピュータ可読記録媒体を含む。コンピュータプログラム製品は、少なくとも1つのコンピュータに、1つまたは複数の位置測定に基づいて、モバイルデバイスの位置を屋内または屋外に分類させるためのコードをさらに含む。コンピュータプログラム製品は、少なくとも1つのコンピュータに、モバイルデバイスによって、1つまたは複数のパフォーマンス測定値を収集させるためのコードをさらに含む。コンピュータプログラム製品は、少なくとも1つのコンピュータに、位置分類情報と、1つまたは複数のパフォーマンス測定値を含むパフォーマンス測定報告とをフェムトセルに送らせるためのコードをさらに含む。
【００１６】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に記載する。しかしながら、これらの特徴は、様々な態様の原理が使用され得る様々な方法のうちのいくつかを示すものにすぎず、この説明は、そのようなすべての態様およびそれらの等価物を含むものとする。
【００１７】
開示される態様を限定するためではなく例示するために与えられる添付の図面とともに、開示される態様が以下で説明され、同様の記号表示は同様の要素を示している。
【図面の簡単な説明】
【００１８】
【図１】ビル環境において展開される例示的なワイヤレス通信システムのブロック図である。
【図２】一態様による、モバイルデバイスの位置を分類するための例示的なシステムのブロック図である。
【図３】一態様による、モバイルデバイスの位置を分類するための例示的な方法の流れ図である。
【図４】別の態様による、モバイルデバイスの位置を分類するための別の例示的な方法の流れ図である。
【図５Ａ】一態様による、モバイルデバイスの位置を分類するための例示的なフェムトノードベースのシステムのブロック図である。
【図５Ｂ】一態様による、モバイルデバイスの位置を分類するための例示的なモバイルデバイスベースのシステムのブロック図である。
【図６】本明細書に記載する様々な態様による例示的なワイヤレス通信システムのブロック図である。
【図７】本明細書で説明する様々なシステムおよび方法と連携して使用され得る例示的なワイヤレスネットワーク環境の説明図である。
【図８】本明細書の態様が実施され得る、いくつかのデバイスをサポートするように構成された例示的なワイヤレス通信システムを示す図である。
【図９】ネットワーク環境内のフェムトセルの展開を可能にする例示的な通信システムの説明図である。
【図１０】いくつかの画定されたトラッキングエリアを有するカバレージマップの一例を示す図である。
【発明を実施するための形態】
【００１９】
様々な態様では、フェムトセルにおけるモバイルデバイスの位置(たとえば、屋外または屋内)を判定し、分類するためのシステムおよび方法。図面を参照しながら様々な態様について説明する。以下の記述では、説明の目的で、1つまたは複数の態様の完全な理解を与えるために、多数の具体的な詳細が記載される。しかしながら、そのような態様をこれらの具体的な詳細なしに実践できることは明白であり得る。さらに、いくつかのデバイス、構成要素、モジュールなどを含み得るシステムに関して、様々な態様または特徴が提示される。様々なシステムが、追加のデバイス、構成要素、モジュールなどを含む場合があり、かつ/または図に関して論じられるデバイス、構成要素、モジュールなどのすべてを含むとは限らないことを、理解および諒解されたい。これらの手法の組合せも使用され得る。
【００２０】
本明細書で説明する技法は、CDMA、TDMA、FDMA、OFDMA、SC-FDMA、WiFiキャリア検知多重アクセス(CSMA)、および他のシステムなど、様々なワイヤレス通信システムに使用され得る。「システム」および「ネットワーク」という用語は、しばしば互換的に使用される。CDMAシステムは、Universal Terrestrial Radio Access(UTRA)、cdma2000などの無線技術を実装し得る。UTRAは、Wideband-CDMA(W-CDMA)およびCDMAの他の変形形態を含む。さらに、cdma2000は、IS-2000規格、IS-95規格およびIS-856規格をカバーする。TDMAシステムは、Global System for Mobile Communications(GSM(登録商標))などの無線技術を実装し得る。OFDMAシステムは、発展型UTRA(E-UTRA)、ウルトラモバイルブロードバンド(UMB)、IEEE802.11(Wi-Fi)、IEEE802.16(WiMAX)、IEEE802.20、Flash-OFDM(登録商標)などの無線技術を実装し得る。UTRAおよびE-UTRAは、Universal Mobile Telecommunication System(UMTS)の一部である。3GPPロングタームエボリューション(LTE)は、ダウンリンク上ではOFDMAを使用し、アップリンク上ではSC-FDMAを使用する、E-UTRAを使用するUMTSのリリースである。UTRA、E-UTRA、UMTS、LTEおよびGSM(登録商標)は、「3rd Generation Partnership Project」(3GPP)と称する組織からの文書に記載されている。加えて、cdma2000およびUMBは、「3rd Generation Partnership Project 2」(3GPP2)と称する組織からの文書に記載されている。さらに、そのようなワイヤレス通信システムは、不対無認可スペクトル、802.xxワイヤレスLAN、BLUETOOTH(登録商標)および任意の他の短距離または長距離ワイヤレス通信技法をしばしば使用するピアツーピア(たとえば、モバイルツーモバイル)アドホックネットワークシステムをさらに含み得る。
【００２１】
ワイヤレス通信システムは、モバイルデバイスと通信するために利用される複数の基地局(BS)を含み得る。これらの基地局は、高電力マクロノードおよび低電力フェムトノードを含み得る。フェムトノードは、フェムトセル、アクセスポイント、フェムトBS、ピコノード、マイクロノード、ノードB、発展型ノードB(eNB)、H(e)NBと総称されるホームノードB(HNB)もしくはホーム発展型ノードB(HeNB)、または何らかの他の用語で呼ばれる場合もある。これらのフェムトノードは一般に低電力基地局と見なされる。たとえば、低電力基地局は、ワイヤレスワイドエリアネットワーク(WWAN)に関連するマクロ基地局と比較して、比較的低い電力で送信する。したがって、低電力フェムトノード(たとえば、フェムトセル)のカバレージエリアは、マクロノード(たとえば、マクロセル)のカバレージエリアよりも実質的に小さい可能性がある。
【００２２】
当技術分野で一般に知られているように、モバイルデバイスは、システム、デバイス、加入者ユニット、加入者局、移動局、モバイル、リモート局、モバイル端末、リモート端末、アクセス端末、ユーザ端末、端末、通信デバイス、ユーザエージェント、ユーザデバイス、またはユーザ機器(UE)と呼ばれることもある。モバイルデバイスは、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、タブレット、コンピューティングデバイス、あるいはモバイルデバイスにセルラーまたはワイヤレスネットワークアクセスを与える1つまたは複数のBSにワイヤレスモデムを介して接続された他の処理デバイスであり得る。
【００２３】
図1は、マルチルームビル101において展開される例示的なワイヤレス通信システム100を示す。システム100は、1つまたは複数のモバイルデバイス114にワイヤレスネットワークへのアクセスを与えることができる外部のマクロ基地局102、ならびにバックホールリンクを介したワイヤレスネットワークアクセスをブロードバンドインターネット接続を介してモバイルネットワークに与えることもできる、ビル内に位置する複数のフェムトノード104、106、108、110、および112を含む。一例では、フェムトノード104、106、108、110、および/または112は他のタイプの低電力基地局、中継ノード、(たとえば、他のデバイスとピアツーピアモードまたはアドホックモードで通信する)デバイスなどであってよい。各フェムトノードは、フェムトセル(図1には示されていないが、図9を参照しながら以下でより詳細に説明される)を形成する。さらに、システム100は、ビル101のルームのうちの1つの内部に位置することができる、デバイス114などの複数のモバイルデバイスを含む。モバイルデバイス114は、フェムトノード104、106および/または108のうちの1つまたは複数と、ならびに電気通信サービス(たとえば、音声、データなど)をモバイルデバイスに提供するマクロ基地局102とワイヤレス通信することができる。
【００２４】
クローズドアクセスフェムトセル展開では、フェムトノード106は、そのカバレージ屋内をターゲットとし、干渉を回避するためにフェムトノード106が隣接するマクロセルおよびフェムトセルから最も小さい信号強度を測定するRFチャネル/帯域を選ぶ。オープンアクセスフェムトセル展開では、フェムトノード106は、隣接するフェムトセルおよびマクロセルと同じRFチャネルを選択して、より良い周波数再利用を実現することができるが、このことは高密度フェムトセル展開における干渉問題をもたらす可能性がある。代わりに、周波数間干渉を最小限に抑え、屋内および屋外のカバレージを改善するために、家の境界に近いフェムトセル(たとえば、フェムトノード106)が、1つのRFチャネル/帯域(たとえば、より低いRF帯域)を選択し、家の奥にあるフェムトセル(たとえば、フェムトノード108)が、別のRFチャネル/帯域(たとえば、より高いRF帯域)を選択することがより有利であり得る。したがって、一態様によれば、モバイルデバイス114またはフェムトセル106は、フェムトセル106がモバイルデバイスのパフォーマンス測定報告とともに情報を使用して、そのカバレージエリアおよび周波数選択を改善することができるように、モバイルデバイス114が構内101の内部に位置するか、または外部に位置するかを判定するように構成され得る。
【００２５】
図2は、モバイルデバイスの位置(たとえば、屋内または屋外)を判定し、モバイルデバイスの位置に基づいて、適切なフェムトセル調整を行うために使用され得る例示的な通信システム200を示す。システム200は、フェムトノード202(たとえば、図1のフェムトノード104、106、108、110または112のいずれか1つ)およびモバイルデバイス204(たとえば、図1のモバイルデバイス114)を含む。一態様では、モバイルデバイス204は、モバイルデバイス204の位置を判定するために使用され得る、異なるタイプの位置およびパフォーマンス測定を実施する測定構成要素212を含む。モバイルデバイス204は、測定した位置パラメータを使用して、モバイルデバイス204の位置を、たとえば、屋内または屋外に分類する位置分類構成要素214も含む。モバイルデバイス204は、フェムトノード202に位置測定情報および/または位置分類情報、およびモバイルデバイスによって生成されたパフォーマンス測定報告を送る情報送信構成要素216も含む。
【００２６】
一態様では、測定構成要素212は、音響技法を使用して、モバイルデバイス204の位置を判定することができる。たとえば、測定構成要素212は、モバイルデバイス204のスピーカーを起動して、あらかじめ定義された音声パターンを発し、また、モバイルデバイス204のマイクロフォンを起動して、そのパターンが同じパターンのエコーを介して受信されるかどうかを検出することができる。エコーは屋外よりも屋内で生じる可能性が非常に高い。屋外エリアは一般に屋内よりも雑音が多く、車両の騒音などの特定のタイプの雑音を含み得るので、構成要素212は、雑音の存在について受信したエコー信号を解析することもできる。
【００２７】
別の態様では、測定構成要素212は、光学技法を使用して、モバイルデバイス204の位置を判定することができる。たとえば、測定構成要素212は、モバイルデバイス204の光センサーまたはカメラを起動して、光強度のレベルおよびそのスペクトル成分を検出することができる。自然な太陽光は、通常屋内で使用される蛍光灯または白熱灯によって発せられる人工光とは異なる周波数スペクトルを有する。構成要素212は、知られているスペクトル解析プロセスを使用して、検出した光の光源を識別するために、その光の周波数成分を区別することができる。また、昼間の間の太陽光は一般に、人工光源からの光よりも強く、逆に、夜間では、より明るいエリアは一般に屋内である。構成要素212は、光源を識別するために、光強度を測定し、光強度をそのクロック読取値と相関させるようにさらに構成され得る。
【００２８】
別の態様では、測定構成要素212は、モバイルデバイス204の全地球測位システム(GPS)またはGLONASSなどの他のシステムを使用して、モバイルデバイス204の位置を判定することができる。たとえば、GPS信号強度は屋外では非常に強いが、窓から5〜10m離れた屋内では急速に低下することが知られている。したがって、GPS信号強度は、モバイルデバイス204が屋内にあるか、または屋外にあるかを判定するために使用され得る。たとえば、構成要素212は、GPS信号強度(たとえば、特定の継続時間にわたって平均した信号強度)を測定し、GPS信号強度をあらかじめ定義された閾値と比較することができる。GPS信号強度が閾値を超える場合、モバイルデバイス204は屋内ではなく、屋外にある可能性が高い。GPS信号測定値を使用して、モバイルデバイス204の速度を判定することもでき、この速度は、モバイルデバイス204が屋外を走っている高速で移動する車上デバイスであるかどうかを示すことになる。
【００２９】
別の態様では、測定構成要素212は、位置判定のためにモバイルデバイス204の高度計測定値および/または気圧計測定値を使用することができる。たとえば、エリアにおける大まかな地理的高度と比較した、モバイルデバイス204の推定した高度は、モバイルデバイス204が高層ビルにあるかどうかを判定するために、構成要素212によって使用され得る。エリアにおける典型的な高度よりもはるかに高い高度は、モバイルデバイス204が屋外ではなく、屋内にあることを推定し得る。高度計測定値は、モバイルデバイスの海抜高度によって変化する気圧計測定値によって補足され得る。
【００３０】
別の態様では、測定構成要素212は、位置判定のためにモバイルデバイス204の加速度計測定値および/またはジャイロスコープ測定値を使用することができる。たとえば、加速度計および/またはジャイロスコープによって検出された特定の動きパターンは、モバイルデバイス204が移動している車両内にある(すなわち、屋外)か、または階段を上り下りするユーザによって持ち運ばれている(すなわち、屋内)かを示すことができる。
【００３１】
別の態様では、測定構成要素212は、モバイルデバイス204のRFチャネル測定パラメータ、たとえば、マルチパス雑音およびドップラー測定値を使用して、モバイルデバイス204の位置を判定することができる。たとえば、モバイルデバイス204が移動する速度は、モバイルデバイス204からの信号が受信され得るドップラー拡散と相関する。ドップラー拡散はモバイルデバイスが高速で移動するほど高くなり、このことはモバイルデバイスが屋外にあることを示す。また、マルチパス干渉からのチャネル雑音は一般に、屋外よりも屋内のほうがはるかに高い。
【００３２】
別の態様では、測定構成要素212は、モバイルデバイス204の位置/移動履歴を使用して、モバイルデバイス204の現在の位置を判定することができる。たとえば、主として一時的なユーザが横断するエリアは、屋外エリアである可能性が高い。また、モバイルデバイス204がフェムトセルとマクロセルを頻繁に切り替えていることを位置履歴が示す場合、十中八九、モバイルデバイス204は屋外を走っている高速で移動する車上デバイスであり、その現在の位置は、その経路の軌跡およびモバイルデバイス204が接続されているまたは最近接続された先のフェムトセルおよびマクロセルの知られている位置から推定され得る。
【００３３】
さらに別の態様では、測定構成要素212は、モバイルデバイス204のキーパフォーマンスインジケータ(KPI)などのパフォーマンス測定情報を収集することができる。たとえば、パフォーマンス測定情報は、限定はしないが、モバイルデバイス204によって使用されるサービス(たとえば、音声、データ、ストリーミング)の統計値、受信信号強度インジケータ(RSSI)、サービス期待値(スケジュールされたシステム更新または同期化など)、セル再選択の回数、ハンドオーバの回数およびタイプ(たとえば、マクロセルへの/からの周波数内ハンドオーバ、周波数間ハンドオーバ、RAT間ハンドオーバ、フェムトセルへの/からのハンドオーバ)、呼ドロップの回数、平均アップリンクおよび/またはダウンリンク干渉、ならびに他のパフォーマンスパラメータ、モビリティパラメータおよびサービスパラメータを含み得る。この情報は、パフォーマンス測定報告を使用してフェムトセル202に送られ得る。
【００３４】
一態様では、位置分類構成要素214は、測定構成要素212から位置測定情報を収集し、モバイルデバイス204の位置を屋内または屋外に分類することができる。たとえば、構成要素212によって提供される位置測定データは、限定はしないが、音響測定値、光学測定値、GPS測定値、高度計測定値および/または気圧計測定値、加速度計測定値および/またはジャイロスコープ測定値、RFチャネル測定値、ならびに位置履歴情報を含み得る。位置分類構成要素214は、情報の1つまたは複数の収集した項目を組み合わせ、モバイルデバイス204の位置を屋内または屋外に分類することができる。たとえば、モバイルデバイス204が屋内にあることを弱いGPS信号が示し、検出した光スペクトルが通常屋内で使用される蛍光灯の特徴であることを光学測定値が示す場合、位置分類構成要素214は、かなりの確信をもってモバイルデバイス204の位置を屋内に分類することができる。一態様では、異なる重み付け係数が、構成要素212から受信した異なる位置測定値に適用され得る。たとえば、モバイルデバイス204が屋外に位置することを、大きい、たとえば90%以上の確率で、非常に強いGPS信号が示すが、モバイルデバイスが屋内にあることを、60%の確率で、検出した光のスペクトル解析に基づいて光学信号測定値が示す場合、すべての測定値が組み合わされるときに、光学測定値の場合よりも大きい重みをGPS測定値に与えることができ、構成要素212はモバイルデバイス204の位置を屋外に分類することができる。
【００３５】
一態様では、モバイルデバイス204の情報送信構成要素216は、測定構成要素212からの位置測定情報または位置分類構成要素214からの位置分類データのいずれかを収集し、それをエアインターフェースメッセージを介してまたはアプリケーションレベルメッセージを介してオーバージエアでフェムトノード202に送るように構成される。加えて、情報送信構成要素216は、KPI情報を含むパフォーマンス測定報告をフェムトノード202に送ることができる。一態様では、情報送信構成要素216は、フェムトノード202に送られる位置測定データまたは分類データにタイムスタンプを付けることができるので、そのデータは構成要素216によって送られるパフォーマンス測定報告と時間相関され得る。
【００３６】
一態様では、フェムトノード202は、位置情報受信構成要素206、位置分類構成要素208およびリソース/パラメータ調整構成要素210を含む。構成要素206は、モバイルデバイス204からの位置測定パラメータまたは位置分類情報のうちの1つまたは複数、ならびにモバイルデバイス204からのパフォーマンス測定報告をオーバージエアで受信するように構成される。フェムトノード202が位置測定情報のみを受信した場合、フェムトノードは、モバイルデバイス204の位置の分類を行うために、位置測定情報を位置分類構成要素208に渡すことができる。たとえば、モバイルデバイス204によって提供される位置測定データは、限定はしないが、音響測定値、光学測定値、GPS測定値、高度計測定値および/または気圧計測定値、加速度計測定値および/またはジャイロスコープ測定値、RFチャネル測定値、ならびに位置/移動履歴情報を含み得る。位置分類構成要素208は、情報の1つまたは複数の収集した項目を組み合わせ、モバイルデバイス204の位置を屋内または屋外に分類することができる。たとえば、モバイルデバイス204が屋内にあることを弱いGPS信号が示し、検出した光スペクトルが通常屋内で使用される蛍光灯の特徴であることを光学測定値が示す場合、位置分類構成要素208は、かなりの確信をもってモバイルデバイス204の位置を屋内に分類することができる。一態様では、異なる重み付け係数が、構成要素212から受信した異なる位置測定値に適用され得る。たとえば、モバイルデバイス204が屋外に位置することを、大きい、たとえば90%以上の確率で、非常に強いGPS信号が示すが、モバイルデバイスが屋内にあることを、60%の確率で、検出した光のスペクトル解析に基づいて光学信号測定値が示す場合、すべての測定値が組み合わされるときに、光学測定値の場合よりも大きい重みをGPS測定値に与えることができ、構成要素208はモバイルデバイス204の位置を屋外に分類することができる。
【００３７】
一態様では、リソース/パラメータ調整構成要素210は、モバイルデバイス204および/または他のモバイルデバイスからのパフォーマンス測定報告とともにモバイルデバイス204の位置分類情報を使用して、フェムトセルカバレージエリアを改善し、隣接するフェムトセルおよびマクロセルに対する干渉を回避するために、フェムトノード204のカバレージおよび/またはチャネル割当てを調整することができる。たとえば、位置分類情報に基づいて、構成要素210は、フェムトセル204が主に、屋内に位置するモバイルデバイス204にサービスしているか、または屋外に位置するモバイルデバイス204にサービスしているかを判定することができる。パフォーマンス測定報告から、構成要素210は、隣接するフェムトセルおよびマクロセルに対する周波数内干渉があるかどうかを判定することができる。この情報を解析すると、構成要素210は、フェムトセルカバレージエリアを改善し、隣接するセルに対する干渉を回避するために、フェムトノード204のカバレージおよび/またはチャネル割当てを調整することができる。たとえば、主に、屋内に位置するモバイルデバイスにサービスするフェムトセル204は、そのカバレージエリアを縮小し得るので、多くの高速モバイルデバイスを有し得るビルの外のエリアをカバーせず、これらの高速モバイルデバイスはフェムトセルのカバレージエリアに入るたびにフェムトセル204に再選択しようとし、このことは、フェムトノード204のRFリソースおよび処理リソースに過負荷をかけ、不必要なネットワークトラフィックを作り出す可能性がある。別の例では、隣接するフェムトセル間の周波数内干渉を防ぎ、屋内および屋外のカバレージを改善するために、屋外に位置するモバイルデバイスにサービスするフェムトノード204は、1つのRFチャネル/帯域(たとえば、より低いRF帯域)を選択することができ、屋内に位置する隣接するフェムトセルは、異なるRFチャネル/帯域(たとえば、より高いRF帯域)を選択し得る。当業者に知られている他の最適化技法が使用され得る。
【００３８】
図3および図4は、フェムトセルにおけるモバイルデバイスの位置を分類するための例示的な方法を示す。例示的な方法300は、図2のフェムトノード202などのフェムトノードまたはその1つもしくは複数の構成要素上に記憶された命令において定義され、説明した動作を実施するようにプロセッサによって実行され得る。例示的な方法400は、図2のモバイルデバイス204などのモバイルデバイスまたはその1つもしくは複数の構成要素上に記憶された命令において定義され、説明した動作を実施するようにプロセッサによって実行され得る。説明を簡単にするために、方法は一連の動作として示され、説明されているが、いくつかの動作は、1つまたは複数の実施形態によれば、本明細書で示され、説明される順序とは異なる順序でおよび/または他の動作と同時に行われ得るので、これらの方法は動作の順序によって限定されないことを理解し、諒解されたい。たとえば、方法は代替的に、状態図におけるものなどの、一連の相互に関係する状態またはイベントとして表され得ることを諒解されたい。さらに、1つまたは複数の実施形態に従って方法を実装するために、すべての説明した動作が必要とされるとは限らない。
【００３９】
図3に移ると、ステップ302において、方法300は、モバイルデバイスから、音響測定値、光学測定値、GPS測定値、高度計測定値および/または気圧計測定値、加速度計測定値および/またはジャイロスコープ測定値、RFチャネル測定値、ならびに位置履歴情報などの位置測定情報を受信するステップを含む。たとえば、一態様では、フェムトノード202は、モバイルデバイス204から上述の位置測定情報を受信する位置情報受信構成要素206を含み得る。ステップ304において、方法300は、受信した位置測定情報に基づいて、モバイルデバイスの位置を屋内または屋外に分類するステップを含む。たとえば、一態様では、フェムトノード202は、モバイルデバイス204の位置を分類する位置分類構成要素208を含み得る。ステップ306において、方法300は、モバイルデバイスからパフォーマンス測定報告を受信するステップを含む。一態様では、パフォーマンス測定報告は、使用されるモバイルサービスに関する統計値、RSSI、セル再選択の回数、ハンドオーバの回数およびタイプ、呼ドロップの回数、平均UL/DL干渉、ならびに他のパフォーマンスパラメータ、モビリティパラメータおよびサービスパラメータなどの様々なキーパフォーマンスインジケータ(KPI)を含み得る。たとえば、一態様では、フェムトノード202は、モバイルデバイス204から上述のパフォーマンス測定報告を受信する構成要素206を含み得る。ステップ308において、方法300は、フェムトセルのカバレージエリアを改善し、隣接するフェムトセルおよびマクロセルに対する干渉を回避するために、モバイルデバイスの位置の分類（位置分類）、パフォーマンス測定報告および/または他の基準に基づいて、フェムトセルのカバレージエリアおよび/またはモバイルデバイスのためのRFチャネル/帯域を調整するステップを含む。たとえば、一態様では、フェムトノード202は、上述のパラメータ調整を実施するリソース/パラメータ調整構成要素210を含み得る。
【００４０】
図4に移ると、ステップ402において、方法400は、モバイルデバイスによって、1つまたは複数の位置測定を実施するステップを含む。たとえば、一態様では、モバイルデバイス204は、音響測定、光学測定、GPS測定、高度計測定および/または気圧計測定、加速度計測定および/またはジャイロスコープ測定、RFチャネル測定を実施し、ならびにモバイルデバイスの位置履歴情報を収集するように構成された測定構成要素212を含み得る。ステップ404において、方法400は、1つまたは複数の位置測定に基づいて、モバイルデバイスの位置を分類するステップを含む。一態様では、モバイルデバイス204は、位置測定に基づいて、モバイルデバイス204の位置を屋内または屋外に分類するように構成された位置分類構成要素214を含み得る。ステップ406において、方法400は、モバイルデバイスによって、1つまたは複数のパフォーマンス測定値を収集するステップを含む。一態様では、モバイルデバイス204の測定構成要素212は、PKIなどの、モバイルデバイス204の様々なパフォーマンス測定値を収集するように構成され得る。ステップ408において、方法400は、モバイルデバイスの位置分類情報およびパフォーマンス測定報告をフェムトセルに送るステップを含む。一態様では、モバイルデバイス204は、上述の情報をフェムトセルに送るように構成された情報送信構成要素216を含み得る。
【００４１】
図5Aは、フェムトセルにおけるモバイルデバイスの位置を分類するためのフェムトノードベースのシステムの一態様を示す。たとえば、システム500は、少なくとも部分的に、図2のフェムトノード202などのフェムトノード内に常駐し得る。システム500は、プロセッサ、ソフトウェア、またはそれらの組合せ(たとえば、ファームウェア)によって実装された機能を表す機能ブロックであり得る、機能ブロックを含むものとして表されていることを諒解されたい。システム500は、連携して動作することができる電気的構成要素の論理グルーピング502を含む。たとえば、一態様では、論理グルーピング502は、モバイルデバイスから位置測定情報およびパフォーマンス測定報告を受信するための電気的構成要素504を含むことができる。加えて、論理グルーピング502は、受信した位置測定情報に基づいて、モバイルデバイスの位置を屋内または屋外にあるものとして分類するための電気的構成要素506を含むことができる。さらに、論理グルーピング502は、モバイルデバイスの位置の分類およびパフォーマンス測定報告に基づいて、フェムトセルのRFリソース割振りおよびカバレージエリアを調整するための電気的構成要素508を含むことができる。
【００４２】
加えて、システム500は、電気的構成要素504、506、および508に関連する機能を実行するための命令を保持するメモリ510を含むことができる。メモリ510の外部にあるものとして示されているが、電気的構成要素504、506、および508のうちの1つまたは複数は、メモリ510内に存在し得ることを理解されたい。一例では、電気的構成要素504、506、および508は、少なくとも1つのプロセッサを備えることができ、または各電気的構成要素504、506、および508は、少なくとも1つのプロセッサの対応するモジュールとすることができる。さらに、追加または代替の例では、電気的構成要素504、506、および508はコンピュータ可読記録媒体を備えるコンピュータプログラム製品とすることができ、各電気的構成要素504、506、および508は対応するコードとすることができる。
【００４３】
図5Bは、フェムトセルにおけるモバイルデバイスの位置を分類するためのモバイルデバイスベースのシステムの一態様を示す。たとえば、システム550は、少なくとも部分的に、図2のモバイルデバイス204などのモバイルデバイス内に常駐し得る。システム550は、プロセッサ、ソフトウェア、またはそれらの組合せ(たとえば、ファームウェア)によって実装された機能を表す機能ブロックであり得る、機能ブロックを含むものとして表されていることを諒解されたい。システム550は、連携して動作することができる電気的構成要素の論理グルーピング552を含む。たとえば、一態様では、論理グルーピング552は、モバイルデバイスによって、1つまたは複数の位置測定を実施するための電気的構成要素554を含むことができる。加えて、論理グルーピング552は、位置測定に基づいて、モバイルデバイスの位置を屋内または屋外にあるものとして分類するための電気的構成要素556を含むことができる。加えて、論理グルーピング552は、モバイルデバイスによって、1つまたは複数のパフォーマンス測定値を収集するための電気的構成要素557を含むことができる。さらに、論理グルーピング552は、モバイルデバイスの位置分類情報およびパフォーマンス測定報告をフェムトセルに送るための電気的構成要素558を含むことができる。
【００４４】
加えて、システム550は、電気的構成要素554、556、557および558に関連する機能を実行するための命令を保持するメモリ559を含むことができる。メモリ559の外部にあるものとして示されているが、電気的構成要素554、556、557および558のうちの1つまたは複数は、メモリ559内に存在し得ることを理解されたい。一例では、電気的構成要素554、556、557および558は、少なくとも1つのプロセッサを備えることができ、または各電気的構成要素554、556、557および558は、少なくとも1つのプロセッサの対応するモジュールとすることができる。さらに、追加または代替の例では、電気的構成要素554、556、557および558はコンピュータ可読記録媒体を備えるコンピュータプログラム製品とすることができ、各電気的構成要素554、556、557および558は対応するコードとすることができる。
【００４５】
次に図6を参照すると、フェムトセルにおけるモバイルデバイスの位置を分類するためのシステムおよび方法が実装され得るワイヤレス通信システム600。システム600は基地局602を含み、基地局602は図2のフェムトノード202または図5のシステム500などのフェムトノードであってもよく、構成要素を含み、図1〜図5に関して上記で説明した機能を実装し得る。一態様では、基地局602は複数のアンテナグループを含むことができる。たとえば、1つのアンテナグループはアンテナ604および606を含むことができ、別のグループはアンテナ608および610を含むことができ、追加のグループはアンテナ612および614を含むことができる。アンテナグループごとに2つのアンテナが示されているが、グループごとにより多いか、またはより少ないアンテナを利用することができる。基地局602は、送信機チェーンおよび受信機チェーンをさらに含むことができ、それらの各々は、諒解されるように、信号の送信および受信に関連する複数の構成要素(たとえば、プロセッサ、変調器、マルチプレクサ、復調器、デマルチプレクサ、アンテナなど)を備えることができる。
【００４６】
基地局602は、図2のモバイルデバイス204を含み得る、モバイルデバイス616およびモバイルデバイス622などの1つまたは複数のモバイルデバイスと通信することができるが、基地局602は、モバイルデバイス616および622と同様の実質的に任意の数のモバイルデバイスと通信することができることを諒解されたい。モバイルデバイス616および622は、たとえば、セルラー電話、スマートフォン、ラップトップ、ハンドヘルド通信デバイス、ハンドヘルドコンピューティングデバイス、衛星無線、全地球測位システム、PDA、および/または、ワイヤレス通信システム600を介して通信するための任意の他の適切なデバイスであり得る。図示のように、モバイルデバイス616は、アンテナ612および614と通信しており、ここでアンテナ612および614は、順方向リンク618を介してモバイルデバイス616に情報を送信し、逆方向リンク620を介してモバイルデバイス616から情報を受信する。さらに、モバイルデバイス622は、アンテナ604および606と通信しており、ここでアンテナ604および606は、順方向リンク624を介してモバイルデバイス622に情報を送信し、逆方向リンク626を介してモバイルデバイス622から情報を受信する。周波数分割複信(FDD)システムでは、たとえば、順方向リンク618は、逆方向リンク620によって使用される周波数帯域とは異なる周波数帯域を利用することができ、順方向リンク624は、逆方向リンク626によって使用される周波数帯域とは異なる周波数帯域を使用することができる。さらに、時分割複信(TDD)システムでは、順方向リンク618および逆方向リンク620は、共通の周波数帯域を利用することができ、順方向リンク624および逆方向リンク626は、共通の周波数帯域を利用することができる。
【００４７】
アンテナの各グループおよび/またはアンテナが通信するように指定されたエリアは、基地局602のセクタと呼ぶことができる。たとえば、アンテナグループは、基地局602によってカバーされるエリアのセクタ内のモバイルデバイスと通信するように設計することができる。順方向リンク618および624を介した通信では、基地局602の送信アンテナはビームフォーミングを利用して、モバイルデバイス616用の順方向リンク618およびモバイルデバイス622用の順方向リンク624の信号対雑音比を改善することができる。また、基地局602はビームフォーミングを利用して、関連するカバレージを介して不規則に分散したモバイルデバイス616および622に送信するが、隣接セル内のモバイルデバイスは、単一のアンテナを介してすべてのそのモバイルデバイスに送信する基地局と比較して、干渉を被る可能性が少ない。さらに、モバイルデバイス616および622は、図示のように、ピアツーピアまたはアドホック技術を使用して、互いに直接通信することができる。一例によれば、システム600は多入力多出力(MIMO)通信システムであり得る。
【００４８】
図7は、フェムトセルにおけるモバイルデバイスの位置を分類するためのシステムおよび方法が実装され得る例示的なワイヤレス通信システム700を示す。ワイヤレス通信システム700は、図2のフェムトノード202などのフェムトノードを含むことができる1つの基地局710、および図2のモバイルデバイス204などの1つのモバイルデバイス750を図示している。しかしながら、システム700は、2つ以上の基地局および/または2つ以上のモバイルデバイスを含むことができ、追加の基地局および/またはモバイルデバイスは、以下で説明する例示的な基地局710およびモバイルデバイス750と実質的に同様か、または異なる可能性があることを諒解されたい。加えて、基地局710および/またはモバイルデバイス750は、本明細書で説明するシステム(図1、図2、図5および図6)および/または方法(図3および図4)を使用して、それらの間のワイヤレス通信を容易にすることができることを諒解されたい。たとえば、本明細書で説明するシステムの構成要素もしくは機能および/または方法は、以下で説明するメモリ732および/もしくは772、またはプロセッサ730および/もしくは770の一部とすることができ、かつ/あるいは、プロセッサ730および/もしくは770によって実行されて、開示した機能を実施することができる。
【００４９】
基地局710で、いくつかのデータストリームのトラフィックデータが、データソース712から送信(TX)データプロセッサ714に供給される。一例によれば、各データストリームは、それぞれのアンテナを介して送信することができる。TXデータプロセッサ714は、そのデータストリーム用に選択された特定の符号化方式に基づいて、トラフィックデータストリームをフォーマットし、符号化し、インターリーブして、符号化データを供給する。
【００５０】
各データストリームの符号化データは、直交周波数分割多重(OFDM)技法を使用して、パイロットデータとともに多重化することができる。追加または代替として、パイロットシンボルは、周波数分割多重(FDM)、時分割多重(TDM)、または符号分割多重(CDM)であり得る。パイロットデータは、通常、既知の様式で処理され、かつモバイルデバイス750で使用されて、チャネル応答を推定することができる既知のデータパターンである。データストリームごとに多重化されたパイロットデータと符号化データは、そのデータストリーム用に選択された特定の変調方式(たとえば、2位相シフトキーイング(BPSK)、4位相シフトキーイング(QPSK)、M位相シフトキーイング(M-PSK)、M直角位相振幅変調(M-QAM)など)に基づいて、変調(たとえば、シンボルマップ)されて、変調シンボルを供給することができる。データストリームごとのデータレート、符号化、および変調は、プロセッサ730によって実施または提供された命令によって決定することができる。
【００５１】
データストリーム用の変調シンボルをTX MIMOプロセッサ720に供給することができ、TX MIMOプロセッサ720は、さらに(たとえば、OFDM用の)変調シンボルを処理することができる。次いで、TX MIMOプロセッサ720は、NT個の変調シンボルストリームをNT個の送信機(TMTR)722a〜722tに供給する。様々な実施形態では、TX MIMOプロセッサ720は、データストリームのシンボル、およびシンボルがそこから送信されているアンテナに、ビームフォーミング重みを加える。
【００５２】
各送信機722は、それぞれのシンボルストリームを受信および処理して、1つまたは複数のアナログ信号を供給し、さらにアナログ信号を調整(たとえば、増幅、フィルタリング、およびアップコンバート)して、MIMOチャネルを介した送信に適した変調信号を供給する。さらに、送信機722a〜722tからのNT個の変調信号が、それぞれNT個のアンテナ724a〜724tから送信される。
【００５３】
モバイルデバイス750で、送信された変調信号は、NR個のアンテナ752a〜752rによって受信され、各アンテナ752から受信された信号は、それぞれの受信機(RCVR)754a〜754rに供給される。各受信機754は、それぞれの信号を調整(たとえば、フィルタリング、増幅、およびダウンコンバート)し、調整された信号をデジタル化してサンプルを供給し、さらにそのサンプルを処理して対応する「受信」シンボルストリームを供給する。
【００５４】
RXデータプロセッサ760は、NR個の受信機754からNR個の受信シンボルストリームを受信し、特定の受信機処理技法に基づいて処理して、NT個の「検出」シンボルストリームを供給することができる。RXデータプロセッサ760は、検出された各シンボルストリームを復調し、デインターリーブし、かつ復号して、データストリーム用のトラフィックデータを復元することができる。RXデータプロセッサ760による処理は、基地局710でのTX MIMOプロセッサ720およびTXデータプロセッサ714によって実施された処理と相補関係にある。
【００５５】
逆方向リンクメッセージは、通信リンクおよび/または受信データストリームに関する様々なタイプの情報を含むことができる。逆方向リンクメッセージは、データソース736からいくつかのデータストリーム用のトラフィックデータも受信するTXデータプロセッサ738によって処理され、変調器780によって変調され、送信機754a〜754rによって調整され、基地局710に送り返すことができる。
【００５６】
基地局710で、モバイルデバイス750からの変調信号は、アンテナ724によって受信され、受信機722によって調整され、復調器740によって復調され、RXデータプロセッサ742によって処理されて、モバイルデバイス750によって送信される逆方向リンクメッセージを抽出する。さらに、プロセッサ730は、抽出されたメッセージを処理して、ビームフォーミング重みを決定するためにどのプリコーディング行列を使用するかを判定することができる。
【００５７】
プロセッサ730および770は、それぞれ基地局710およびモバイルデバイス750での動作を指示(たとえば、制御、調整、管理など)することができる。それぞれのプロセッサ730および770は、プログラムコードおよびデータを記憶するメモリ732および772に関連付けることができる。プロセッサ730および770は、1つまたは複数のフェムトノード用のページングエリア識別子を選択することをサポートするための本明細書で説明する機能を実施することもできる。
【００５８】
図8は、フェムトセルにおけるモバイルデバイスの位置を分類するためのシステムおよび方法が実装され得る、何人かのユーザをサポートするように構成されたワイヤレス通信システム800を示す。システム800は、たとえば、マクロセル802A〜802Gなどの複数のセル802用の通信を提供し、各セルは、対応するアクセスノード804(たとえば、アクセスノード804A〜804G)によってサービスされる。図8に示すように、モバイルデバイス806(たとえば、モバイルデバイス806A〜806L)は、時間とともにシステム全体にわたって様々な位置に分散する可能性がある。各モバイルデバイス806は、たとえば、モバイルデバイス806がアクティブであるかどうか、およびソフトハンドオフにあるかどうかに応じて、所与のときに順方向リンク(FL)および/または逆方向リンク(RL)上の1つまたは複数のアクセスノード804と通信することができる。ワイヤレス通信システム800は、広い地理的領域にわたってサービスを提供することができる。いくつかの態様では、デバイス806A、806H、および806Jなどのモバイルデバイス806のうちのいくつかは、ノード102もしくは202またはシステム500などのフェムトノードであってもよく、構成要素を含み、図1〜図5に関して上記で説明した機能を実装し得る。
【００５９】
図9は、図2のフェムトノード202などの1つまたは複数のフェムトノードがネットワーク環境内に展開される、例示的な通信システム900を示す。具体的には、システム900は、一態様では、図1のフェムトノード104、106、108、110、および112に対応し得る、比較的小さい規模のネットワーク環境に(たとえば、1つまたは複数のユーザの住宅930に)設置された複数のフェムトノード910Aおよび910B(たとえば、フェムトセルノードまたはH(e)NB)を含む。各フェムトノード910は、デジタル加入者回線(DSL)ルータ、ケーブルモデム、ワイヤレスリンク、または他の接続手段(図示せず)を介して、ワイドエリアネットワーク940(たとえば、インターネット)およびモバイル事業者コアネットワーク950に結合することができる。以下で論じるように、各フェムトノード910は、関連するモバイルデバイス920(たとえば、モバイルデバイス920A)、および場合によっては異種のモバイルデバイス920(たとえば、モバイルデバイス920B)にサービスするように構成することができる。言い換えれば、フェムトノード910に対するアクセスは、所与のモバイルデバイス920が1組の指定された(たとえば、ホーム)フェムトノード910によってサービスされ得るが、任意の指定されていないフェムトノード910(たとえば、隣接するフェムトノード)によってサービスされ得ないように、制限することができる。
【００６０】
図10は、各々がいくつかのマクロカバレージエリア1004を含むいくつかのトラッキングエリア1002(またはルーティングエリアまたはロケーションエリア)が画定された、カバレージマップ1000の一例を示す。ここでは、トラッキングエリア1002A、1002Bおよび1002Cに関連するカバレージのエリアが太線によって示され、マクロカバレージエリア1004が六角形によって表されている。トラッキングエリア1002は、構成要素を含み、図1〜図5に関して上記で説明した機能を実装し得る、図2のフェムトノード202などのそれぞれのフェムトノードに対応するフェムトカバレージエリア1006も含む。この例では、フェムトカバレージエリア1006の各々(たとえば、フェムトカバレージエリア1006C)は、マクロカバレージエリア1004(たとえば、マクロカバレージエリア1004B)内に図示されている。しかしながら、フェムトカバレージエリア1006は、完全にマクロカバレージエリア1004内にあるとは限らないことを諒解されたい。実際には、多数のフェムトカバレージエリア1006は、所与のトラッキングエリア1002またはマクロカバレージエリア1004で画定することができる。また、1つまたは複数のピコカバレージエリア(図示せず)は、所与のトラッキングエリア1002またはマクロカバレージエリア1004内に画定することができる。
【００６１】
再び図9を参照すると、フェムトノード910の所有者は、たとえば、モバイル事業者コアネットワーク950を介して提供される、3Gモバイルサービスなどのモバイルサービスに加入することができる。別の例では、ワイヤレスネットワークのカバレージを拡大するために、モバイル事業者コアネットワーク950によってフェムトノード910を動作させることができる。加えて、モバイルデバイス920は、マクロ環境内と、より小規模(たとえば、住宅)のネットワーク環境内の両方で動作可能であり得る。したがって、たとえば、モバイルデバイス920の現在の位置に応じて、モバイルデバイス920は、マクロセルアクセスノード960によって、または1組のフェムトノード910(たとえば、対応するユーザの住居930内に常駐するフェムトノード910Aおよび910B)のうちのいずれか1つによってサービスされ得る。たとえば、加入者が自分の家の外部にいるときは、加入者は標準的なマクロセルアクセスノード(たとえば、ノード960)によってサービスされ、加入者が家にいるときは、加入者はフェムトノード(たとえば、ノード910A)によってサービスされる。ここで、フェムトノード910は、既存のモバイルデバイス920との後方互換性があり得ることを諒解されたい。
【００６２】
フェムトノード910は、単一の周波数上か、または代替として、複数の周波数上に展開することができる。特定の構成に応じて、単一の周波数、または複数の周波数のうちの1つもしくは複数は、マクロセルアクセスノード(たとえば、ノード960)によって使用される1つまたは複数の周波数と重なる可能性がある。いくつかの態様では、モバイルデバイス920は、そのような接続が可能であるときはいつでも、好ましいフェムトノード(たとえば、モバイルデバイス920のホームフェムトノード)に接続するように構成することができる。たとえば、モバイルデバイス920がユーザの住居930内にあるときはいつでも、モバイルデバイス920はホームフェムトノード910と通信することができる。
【００６３】
いくつかの態様では、モバイル920がモバイル事業者コアネットワーク950内で動作するが、(たとえば、好ましいローミングリスト内に規定されたような)その最も好ましいネットワーク上に常駐していない場合、より良いシステムが現在利用可能かどうかを判定するための利用可能なシステムの周期的走査、およびそのような好ましいシステムに関連付けるためのその後の努力を含み得るBetter System Reselection(BSR)を使用して、モバイルデバイス920は最も好ましいネットワーク(たとえば、フェムトノード910)を探し続けることができる。一例では、(たとえば、好ましいローミングリスト内の)取得テーブル項目を使用して、モバイルデバイス920は特定の帯域およびチャネルに対する探索を制限することができる。たとえば、最も好ましいシステムに対する探索は、周期的に繰り返すことができる。フェムトノード910などの好ましいフェムトノードが発見されると、モバイルデバイス920は、そのカバレージエリア内のキャンピング用にフェムトノード910を選択する。
【００６４】
いくつかの態様では、フェムトノードは制限される可能性がある。たとえば、所与のフェムトノードは、特定のモバイルデバイスに特定のサービスを提供することしかできない。いわゆる制限された(または限定された)関連付けを有する展開では、所与のモバイルデバイスは、マクロセルモバイルネットワークおよび規定されたセットのフェムトノード(たとえば、対応するユーザの住居930内に常駐するフェムトノード910)のみによってサービスされ得る。いくつかの実装形態では、フェムトノードは、少なくとも1つのモバイルデバイスに、シグナリング、データアクセス、登録、ページング、またはサービスのうちの少なくとも1つを提供しないように制限され得る。
【００６５】
いくつかの態様では、(限定加入者グループH(e)NBと呼ばれることもある)制限フェムトノードは、制限付きの供給されたセットのモバイルデバイスにサービスを提供するフェムトノードである。このセットは、必要に応じて一時的または永続的に拡張することができる。いくつかの態様では、限定加入者グループ(CSG)は、モバイルデバイスの共通アクセス制御リストを共有するアクセスノード(たとえば、フェムトノード)のセットとして規定することができる。ある領域内のすべてのフェムトノード(またはすべての制限フェムトノード)が動作するチャネルは、フェムトチャネルと呼ぶことができる。
【００６６】
所与のフェムトノードと所与のモバイルデバイスとの間には、このように様々な関係が存在する可能性がある。たとえば、モバイルデバイスの観点から、オープンフェムトノードは制限された関連付けがないフェムトノードを指すことができる。制限フェムトノードは、何らかの方式で制限された(たとえば、関連付けおよび/または登録について制限された)フェムトノードを指すことができる。ホームフェムトノードは、その上でモバイルデバイスがアクセスおよび動作することを認可されたフェムトノードを指すことができる。ゲストフェムトノードは、その上でモバイルデバイスがアクセスまたは動作することを一時的に認可されたフェムトノードを指すことができる。異種フェムトノードは、おそらく緊急事態(たとえば911呼)を除いて、その上でモバイルデバイスがアクセスまたは動作することを認可されないフェムトノードを指すことができる。
【００６７】
制限フェムトノードの観点から、ホームモバイルデバイスは、制限フェムトノードにアクセスすることを認可されたモバイルデバイスを指すことができる。ゲストモバイルデバイスは、制限フェムトノードへの一時的なアクセス権を有するモバイルデバイスを指すことができる。異種モバイルデバイスは、おそらく緊急事態、たとえば911呼を除いて、制限フェムトノードにアクセスする許可を有さないモバイルデバイス(たとえば、制限フェムトノードに登録する資格証明または許可を有さないアクセス端末)を指すことができる。
【００６８】
便宜上、本開示は、フェムトノードの文脈で様々な機能について本明細書で説明する。しかしながら、ピコノードは、より大きいカバレージエリアに対して、フェムトノードと同じまたは同様の機能を提供することができることを諒解されたい。たとえば、ピコノードを制限すること、家庭用ピコノードを所与のモバイルデバイスに関して定義することなどが可能である。
【００６９】
本明細書で開示する実施形態に関して説明した、様々な例示的な論理、論理ブロック、モジュール、構成要素、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲート論理もしくはトランジスタ論理、個別ハードウェア構成要素、または、本明細書で説明した機能を実施するように設計されたそれらの任意の組合せによって、実装または実施され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。加えて、少なくとも1つのプロセッサは、上記で説明したステップおよび/または動作のうちの1つまたは複数を実施するように動作可能な1つまたは複数のモジュールを備え得る。例示的な記憶媒体は、プロセッサが記憶媒体から情報を読み取り、記憶媒体に情報を書き込むことができるように、プロセッサに結合され得る。代替として、記憶媒体はプロセッサと一体であり得る。さらに、いくつかの態様では、プロセッサおよび記憶媒体はASIC中に常駐してもよい。加えて、ASICはユーザ端末中に常駐し得る。代替として、プロセッサおよび記憶媒体は、ユーザ端末中に個別構成要素として常駐し得る。
【００７０】
1つまたは複数の態様では、説明した機能、方法、またはアルゴリズムは、ハードウェア、ソフトウェア、ファームウェア、またはそれらの任意の組合せで実装され得る。ソフトウェアで実装された場合、機能は、1つまたは複数の命令もしくはコードとして、コンピュータ可読記録媒体上に記憶することができるか、または、コンピュータ可読記録媒体上で送信することができ、コンピュータ可読記録媒体はコンピュータプログラム製品に組み込むことができる。コンピュータ可読記録媒体は、ある場所から別の場所へのコンピュータプログラムの転送を容易にする任意の媒体を含む、コンピュータ可読記録媒体とコンピュータ通信媒体の両方を含む。記憶媒体は、コンピュータによってアクセスできる任意の利用可能な媒体であり得る。限定ではなく例として、そのようなコンピュータ可読記録媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。また、実質的にいかなる接続もコンピュータ可読記録媒体と呼ぶことができる。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用される場合、ディスク(disk)およびディスク(disc)は、コンパクトディスク(disc)(CD)、レーザディスク(disc)、光ディスク(disc)、デジタル多用途ディスク(disc)(DVD)、フロッピー(登録商標)ディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読記録媒体の範囲内に含めるべきである。
【００７１】
本出願で使用される場合、「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および/またはコンピュータであり得るが、これらに限定されない。例示として、コンピューティングデバイス上で実行されるアプリケーションと、そのコンピューティングデバイスの両方が、構成要素であり得る。1つまたは複数の構成要素が、プロセスおよび/または実行スレッド内に常駐することができ、1つの構成要素が、1つのコンピュータ上に局在化されてよく、かつ/または2つ以上のコンピュータ間に分散されてよい。加えて、これらの構成要素は、様々なデータ構造を記憶している様々なコンピュータ可読記録媒体から実行することができる。これらの構成要素は、信号によって、ローカルシステム、分散システム内の別の構成要素と対話し、かつ/またはインターネットなどのネットワークを介して他のシステムと対話する1つの構成要素からのデータなどの、1つまたは複数のデータパケットを有する信号に従うことなどによって、ローカルプロセスおよび/またはリモートプロセスによって通信し得る。
【００７２】
さらに、「または」という用語は、排他的な「または」ではなく、包括的な「または」を意味するものとする。すなわち、別段の規定がない限り、または文脈から明白でない限り、「XはAまたはBを使用する」という語句は、自然な包括的置換のいずれかを意味するものとする。すなわち、「XはAまたはBを使用する」という語句は、以下の例のいずれかによって満足される。XはAを使用する。XはBを使用する。XはAとBの両方を使用する。加えて、本出願および添付の特許請求の範囲で使用する場合、冠詞「a」および「an」は、別段の規定がない限り、または単数形を示すことが文脈から明白でない限り、概して「1つまたは複数」を意味するものと解釈すべきである。
【００７３】
上記の開示は、例示的な態様および/または実施形態について論じたが、添付の特許請求の範囲によって定義されるような、説明した態様および/または実施形態の範囲から逸脱することなく、様々な変更および改変を本明細書で行うことができることに留意されたい。さらに、説明した態様および/または実施形態の要素は、単数形で説明または特許請求されていることがあるが、単数形に限定することが明示的に述べられていない限り、複数形が企図される。加えて、任意の態様および/または実施形態の全部または一部は、別段に記載されていない限り、任意の他の態様および/または実施形態の全部または一部とともに利用され得る。
【符号の説明】
【００７４】
100  ワイヤレス通信システム、システム
101  マルチルームビル、ビル、構内
102  マクロ基地局
104、106、108、110、112  フェムトノード
114  モバイルデバイス
200  通信システム、システム
202  フェムトノード
204  モバイルデバイス
206  構成要素、位置情報受信構成要素
208  構成要素、位置分類構成要素
210  構成要素、リソース/パラメータ調整構成要素
212  構成要素、測定構成要素
214  構成要素、位置分類構成要素
216  構成要素、情報送信構成要素
500  フェムトノードベースのシステム、システム
502  論理グルーピング
504、506、508  電気的構成要素
510  メモリ
550  モバイルデバイスベースのシステム、システム
552  論理グルーピング
554、556、557、558  電気的構成要素
559  メモリ
600  ワイヤレス通信システム、システム
604、606、608、610、612、614  アンテナ
616  モバイルデバイス
618  順方向リンク
620  逆方向リンク
622  モバイルデバイス
624  順方向リンク
626  逆方向リンク
700  ワイヤレス通信システム、システム
710  基地局
712  データソース
714  送信(TX)データプロセッサ
720  TX MIMOプロセッサ
722a〜722t  送信機(TMTR)
724a〜724t  アンテナ
730  プロセッサ
732  メモリ
736  データソース
738  TXデータプロセッサ
740  復調器
742  RXデータプロセッサ
752a〜752t  アンテナ
754a〜754t  受信機(RCVR)
750  モバイルデバイス
760  RXデータプロセッサ
770  プロセッサ
772  メモリ
780  変調器
800  ワイヤレス通信システム、システム
802A〜802G  マクロセル
804A〜804G  アクセスノード
806A〜806L  モバイルデバイス
900  通信システム、システム
910A、910B  フェムトノード
920A、920B  モバイルデバイス
930  ユーザの住宅
940  ワイドエリアネットワーク
950  モバイル事業者コアネットワーク
960  マクロセルアクセスノード
1000  カバレージマップ
1002  トラッキングエリア
1004  マクロカバレージエリア
1006  フェムトカバレージエリア
【図１】
2015509692.tif 000003
【図２】
2015509692.tif 000004
【図３】
2015509692.tif 000005
【図４】
2015509692.tif 000006
【図５Ａ】
2015509692.tif 000007
【図５Ｂ】
2015509692.tif 000008
【図６】
2015509692.tif 000009
【図７】
2015509692.tif 000010
【図８】
2015509692.tif 000011
【図９】
2015509692.tif 000012
【図１０】
2015509692.tif 000013
【国際調査報告】
2015509692.tif 000014
2015509692.tif 000015
2015509692.tif 000016